(57)【特許請求の範囲】
【請求項１】
外壁に冷却器が設けられた冷却円筒と、製氷用水が貯留される貯水タンクと、この貯水タンクへの給水を制御する給水弁と、前記貯水タンクから前記冷却円筒内に給水するための給水管と、前記冷却円筒内の製氷用水を排出する排水管と、この排水管からの排水を制御する排水弁と、前記冷却円筒内に同心的に挿入されたオーガとを備え、前記冷却円筒の内壁に生成した氷を前記オーガにより削取し、上方に移送して圧縮することにより、連続的に氷片を生成するオーガ式製氷機において、
前記貯水タンク内の満水位を検出する満水位スイッチと、前記貯水タンク内の低水位を検出する低水位スイッチと、これらスイッチの検出動作に基づき、前記低水位にて前記給水弁を開くと共に、前記満水位にて前記給水弁を閉じる制御手段と、警報手段とを備え、前記制御手段は前記排水弁を開いたときに、前記満水位スイッチが前記満水位を検出しており、且つ、前記低水位スイッチが前記低水位を検出しない場合は、前記警報手段により排水系異常を警報し、運転を継続することを特徴とするオーガ式製氷機。
【発明の詳細な説明】
【０００１】
【発明の属する技術分野】
本発明は、氷片（チップアイス）を連続的に製造するオーガ式製氷機に関するものである。
【０００２】
【従来の技術】
従来よりこの種オーガ式製氷機は、例えば特公平７−６５８３４号公報（Ｆ２５Ｃ１／１４）に開示される如く、冷却パイプ（冷却器）を外面に設けた冷凍ケーシング（以下、冷却円筒と称す。）内にオーガを挿入し、冷却円筒内にはフロートタンク（以下、貯水タンクと称す。）から給水ホース（以下、給水管と称す。）を介して製氷用の水を供給すると共に、モータによってオーガを回転駆動して前記冷却円筒の内壁に生成した氷を削取しつつ上方に移送し、圧縮することによって連続的に氷片を生成するよう構成されている。
【０００３】
また、貯水タンクにはその満水位と低水位を検知するフロート式の満水位スイッチと低水位スイッチが設けられ、低水位にて給水弁を開き、貯水タンクに製氷用水（水道水）を供給すると共に、満水位にて給水弁を閉じ、給水を停止することによって、常時貯水タンク内の水位を満水位と低水位間に維持するようにしていた。
【０００４】
一方、係る製氷用水（水道水）にはカルシウムやマグネシウムなどの不純物が含まれており、製氷運転の継続によりそれらが水垢となって徐々に冷却円筒内壁に析出してくる。冷却円筒内壁にこのような水垢が付着すると、オーガやモータ、軸受など（製氷部）に加わる負荷が増大し、異常音が発生すると共に、最終的には故障に至る問題があった。
【０００５】
そこで、従来では前記冷却円筒内下部に排水弁が介設された排水管を連通接続し、排水弁を定期的に開放して冷却円筒内の水を排出すると共に、貯水タンクから給水管を介して新たな製氷用水を冷却円筒内に供給することによって、冷却円筒内の洗浄を行うように構成していた。
【０００６】
【発明が解決しようとする課題】
しかしながら、排水弁の制御系や排水弁自体に故障が生じ、或いは、排水管の外れや、製氷部のシール不良などにより、異常な排水或いは水漏れが発生すると、前記貯水タンク内の水位が急速に低下するため、貯水タンクには頻繁に或いは常時製氷用水が供給されるようになる。
【０００７】
一方、冷却円筒への一定時間当たりの給水量は、排水量よりも通常多く設定されているから、冷却円筒内の製氷用水は一応確保される。従って、製氷は継続されるものの、使用者は水道料金の請求が来る時点まで係る異常に気づくことができず、それまでの間無駄な水の消費が継続されると云う問題が発生していた。
【０００８】
また、上記満水位スイッチや低水位スイッチにフロートの動作不良や接点不良などの異常が発生した場合、給水弁が開放されずに製氷運転が継続されて渇水状態に陥るか、或いは、給水弁が開放されたままとなってやはり無駄な水の消費が継続されてしまうようになる問題があった。
【０００９】
本発明は、係る従来の技術的課題を解決するために成されたものであり、各部の異常を的確に把握して警報し、安定的な製氷運転を実現することができるオーガ式製氷機を提供するものである。
【００１０】
【課題を解決するための手段】
請求項１の発明のオーガ式製氷機は、外壁に冷却器が設けられた冷却円筒と、製氷用水が貯留される貯水タンクと、この貯水タンクへの給水を制御する給水弁と、貯水タンクから冷却円筒内に給水するための給水管と、冷却円筒内の製氷用水を排出する排水管と、この排水管からの排水を制御する排水弁と、冷却円筒内に同心的に挿入されたオーガとを備え、冷却円筒の内壁に生成した氷をオーガにより削取し、上方に移送して圧縮することにより、連続的に氷片を生成するものであって、貯水タンク内の満水位を検出する満水位スイッチと、貯水タンク内の低水位を検出する低水位スイッチと、これらスイッチの検出動作に基づき、低水位にて給水弁を開くと共に、満水位にて給水弁を閉じる制御手段と、警報手段とを備えており、制御手段は排水弁を開いたときに、満水位スイッチが満水位を検出しており、且つ、低水位スイッチが低水位を検出しない場合は、警報手段により排水系異常を警報し、運転を継続するものである。
【００１１】
請求項１の発明によれば、貯水タンク内の満水位を検出する満水位スイッチと、貯水タンク内の低水位を検出する低水位スイッチと、これらスイッチの検出動作に基づき、低水位にて給水弁を開くと共に、満水位にて給水弁を閉じる制御手段と、警報手段とを設け、制御手段は排水弁を開いたときに、満水位スイッチが満水位を検出しており、且つ、低水位スイッチが低水位を検出しない場合は、警報手段により排水系異常を警報し、運転を継続するように構成したので、排水弁や排水管などの排水系に故障が発生し、冷却円筒内の製氷用水を廃棄できない場合に、警報手段によって係る排水系の異常を警報することが可能となる。
【００１２】
従って、使用者に排水系異常の発生を迅速に報知して対処させることが可能となり、安定した製氷運転を実現できるようになると共に、係る場合にも運転は継続するので、氷は確実に製造することが可能となる。従って、営業に支障を生じる不都合を回避することができるようになり、利便性に富んだ製氷機とすることができるものである。
【００２３】
【発明の実施の形態】
以下、本発明の実施形態を図面に基づき詳述する。図１は本発明のオーガ式製氷機ＩＭの縦断側面図、図２は本発明のオーガ式製氷機ＩＭの電気回路図、図３はオーガ式製氷機ＩＭの基本動作のタイミングチャート、図４乃至図６は本発明のオーガ製氷機ＩＭのコントロール基板Ｋのマイクロコンピュータのプログラムを示すフローチャートである。
【００２４】
オーガ式製氷機ＩＭは、断熱箱体に構成された貯氷庫（図示せず）を備え、この貯氷庫内に製氷された氷を貯氷するもので、例えばレストランなどにおいて単に製氷機として用いられる他、自動販売機等にも搭載されるものである。
【００２５】
このオーガ式製氷機ＩＭは、製氷用水から氷を生成するための冷却器２を備えた製氷部１と、この製氷部１の冷却器２と共に冷凍サイクルを構成する凝縮器３、コンプレッサ４、及び、膨張弁５、デハイドレータ６とを冷媒配管にて順次接続して冷却装置を構成している。尚、７は前記凝縮器３を空冷するためのコンデンシングファンである。
【００２６】
また、前記製氷部１に製氷用水（水道水）を供給するために、水道管８に給水弁ＷＶ２を介して接続され、水道水を貯溜する貯水タンク（シスターン）９が設けられており、この貯水タンク９には、オーバーフロー管１０が接続されている。更に、この貯水タンク９内にはその満水位を検出するための検知手段としてのフロートスイッチから成る満水位スイッチ２２と低水位スイッチ２３がそれぞれ設けられている。
【００２７】
また、貯水タンク９に貯溜された製氷用水は、給水管１２にて前記製氷部１に導入され、不要な水は排水管１３にて排水される。この排水管１３は前記オーバーフロー管１０に排水弁ＷＶ１を介して接続されている。
【００２８】
一方、前記製氷部１は、内壁を平滑な円筒状内面とされたステンレス製の冷却円筒１５内にオーガ（回転刃）１６を同心的且つ回転可能に挿入し、前記冷却円筒１５の外壁にはパイプ状の前記冷却器２を螺旋状に密着巻付して構成されている。尚、これら冷却円筒１５と冷却器２との隙間には両者の結合と熱伝達性能の向上を目的としてハンダが注入される。
【００２９】
また、前記オーガ１６は下部を下部軸受け１７にて、上部を氷圧縮経路を構成する上部軸受け１８にて軸支されている。また、この上部軸受け１８にて圧縮された氷は、その上部に設けられている氷導出部１９（シューター）から図示しない貯氷庫に導出される。
【００３０】
前記給水管１２と排水管１３は冷却円筒１５の下部においてその内部にそれぞれ連通すると共に、これらの下方における冷却円筒１５の下部には、更にオーガ１６を回転駆動するためのオーガモータ４５（後述）を備える駆動装置２０が減速装置２１を介して接続されている。
【００３１】
次に、図２を参照してオーガ式製氷機ＩＭの電気回路を説明する。図２において、Ｋはリミットセンサ３０、凝縮器３の温度を検知する凝縮器センサ３１、冷却器２の温度を検知する冷却器センサ３２、前記貯氷庫内の貯氷量を検知する貯氷センサ３３が接続されたコントロール基板であり、汎用のマイクロコンピュータ（制御手段）から構成され、基板用トランス３４から電源を得ている。
【００３２】
また、前記コントロール基板Ｋには、各センサ３０、３１、３２、３３の他、操作基板３５、表示基板３６、高圧スイッチ３７、及び、前記満水位スイッチ２２、低水位スイッチ２３が接続されている。
【００３３】
３８は運転操作スイッチで、オーガ式製氷機ＩＭの動作を開始するものである。そして、運転操作スイッチ３８には、前記コンプレッサ４のコンプレッサモータ３９をＯＮ−ＯＦＦするコンプレッサ用リレー接点４０、始動コンデンサ４１、及び、運転コンデンサ４２、コンプレッサモータ始動リレー４３、コンプレッサモータ用オーバーロードリレー４４が直列に接続されている。
【００３４】
更に、コンプレッサモータ始動リレー４３とコンプレッサモータ用オーバーロードリレー４４との間から前記コントロール基板Ｋに接続している。
【００３５】
また、前記コントロール基板Ｋには、前記オーガモータ４５及び運転コンデンサ４６に接続されたリレーＲ４と、コンデンシングファンモータ５６及びコンプレッサ用リレーＲＬに接続されたリレーＲ３と、排水弁ＷＶ１に接続されたリレーＲ２と、給水弁ＷＶ２に接続されたリレーＲ１とを備えている。尚、コンプレッサ用リレーＲＬは、コンプレッサ用リレー接点４０をＯＮ−ＯＦＦさせるもので、４７は前記オーガモータ４５のオーバーロードリレーである。
【００３６】
また、前記操作基板３５には、モード切換スイッチ４８、リセットスイッチ４９、送りスイッチ５０、排水スイッチ５１、排水ランプ５２がそれぞれ設けられている。尚、コントロール基板Ｋのマイクロコンピュータはその機能として後述する各種タイマを備えている。
【００３７】
更に、表示基板３６は、点検ランプ５３、停止ランプ５４を備えると共に、温度表示やコード表示を行うための７セグメントＬＥＤ表示式表示器５５を備えている。尚、点検ランプ５３は他にブザー等で構成しても良い。
【００３８】
上述した構造において、次に、本発明のオーガ式製氷機ＩＭの基本動作を図３のタイミングチャートを参照しながら説明する。
【００３９】
最初の初回洗浄工程では、低水位スイッチ２３がＯＮ（低水位を検出している状態）となっており、コントロール基板Ｋのマイクロコンピュータは給水弁ＷＶ２及び排水弁ＷＶ１を開き、冷却円筒１５内に給水すると共に排水を行う。
【００４０】
尚、初回洗浄工程と製氷工程においては、マイクロコンピュータは排水弁ＷＶ１を１時間毎に３０秒間開く排水動作を実行する。それによって、冷却円筒１５内の製氷水を廃棄し、冷却円筒１５内の洗浄を行う。従って、この初回洗浄工程においても排水弁ＷＶ１を３０秒開く。
【００４１】
また、給水弁ＷＶ２は排水弁ＷＶ１が閉じた後も開としており、この初回洗浄工程で満水位スイッチ２２がＯＮ（満水位を検出している状態）されるまで給水される。尚、この給水管１２からの一定時間当たりの給水量は、排水管１３による一定時間当たりの排水量より水量が多くなるよう設定されており、そのため、排水弁ＷＶ１が開であっても、給水弁ＷＶ２を開いていると、所定時間経過後、低水位スイッチ２３はＯＦＦ（低水位を検出しない状態）となる。
【００４２】
係る初回洗浄工程開始と同時に、オーガモータ４５へ通電され、オーガ１６が回転駆動される。
【００４３】
また、満水位スイッチ２２がＯＮすると、続いて製氷工程に入り、給水弁ＷＶ２をＯＦＦ（閉）し、コンプレッサ４（コンプレッサモータ３９）及びファンモータ５６をＯＮして製氷を行う。
【００４４】
この製氷工程においては、オーガ１６により冷却円筒１５の内壁に生成した氷を削取しつつ上方に移送し、上部軸受け１８の氷圧縮経路にて圧縮することによって、連続的に氷片を生成する。生成された氷片はその上部に設けられている氷導出部１９（シューター）から図示しない貯氷庫に導出され、蓄えられる。
【００４５】
係る製氷工程で、貯水タンク９内の製氷用水が低下して行って所定の低水位となると、低水位スイッチ２３がＯＮし、コントロール基板Ｋのマイクロコンピュータにより給水弁ＷＶ２がＯＮ（開）されて給水が開始され、満水位スイッチ２２がＯＮすると給水弁ＷＶ２がＯＦＦ（閉）される。
【００４６】
この製氷、給水の動作を繰り返し、貯氷センサ３３は満氷を検知すると、３０秒間経過後、コントロール基板Ｋのマイクロコンピュータはコンプレッサ４及びファンモータ５６をＯＦＦし、その９０秒間経過後、オーガモータ４５をＯＦＦし、製氷工程（製氷動作）を停止する。
【００４７】
次いで貯氷工程に入り、貯氷センサ３３が満氷検知しなくなってから１５０秒後にコントロール基板Ｋのマイクロコンピュータは製氷開始と判断し、オーガモータ４５をＯＮ、排水弁ＷＶ１を開とする。ここでは、一度排水しているため、低水位スイッチ２３がＯＮとなる。この低水位スイッチ２３がＯＮとなると同時に、コントロール基板Ｋのマイクロコンピュータは給水弁ＷＶ２を開とし、満水位スイッチ２２が満水検知（ＯＮ）するまで給水を継続する。
【００４８】
満水位スイッチ２２がＯＮすると、再び製氷工程に移行し、コンプレッサ４（コンプレッサモータ３９）及びファンモータ５６をＯＮとして製氷を再開する。
【００４９】
次に、図４のフローチャートを参照しながら、請求項１の発明に係るコントロール基板Ｋのマイクロコンピュータによる排水異常検出動作を説明する。コントロール基板Ｋのマイクロコンピュータは、製氷工程において前述の一時間が経過すると、満水位スイッチ２２がＯＮしているか否か判断し（ステップＳ１）、ＯＮしていれば上述の如く給水弁ＷＶ２を閉じる（ステップＳ２）。
【００５０】
また、満水位スイッチ２２がＯＦＦしている場合には、今度は低水位スイッチ２３がＯＮしているか否か判断し（ステップＳ１０）、ＯＮしている場合には前述の如く給水弁ＷＶ２を開いて貯水タンク９への給水を行う（ステップＳ１１）。
【００５１】
一方、ステップＳ２で給水弁ＷＶ２を閉じた後（ＯＦＦ）、コントロール基板Ｋのマイクロコンピュータはその機能として有する３０秒タイマをクリアする（ステップＳ３）。そして、マイクロコンピュータは排水弁ＷＶ１を開き、前述の冷却円筒１５内の製氷用水の廃棄を開始すると共に（ステップＳ４）、ステップＳ５で３０秒タイマのカウントを行い、それを繰り返して当該３０秒タイマのカウント開始から３０秒経過するのを待つ。そして、排水開始から３０秒経過すると、マイクロコンピュータは排水弁ＷＶ１を閉じる（ステップＳ６）。
【００５２】
次に、コントロール基板Ｋのマイクロコンピュータは、係る排水動作が終了した後、満水位スイッチ２２がＯＮしているか否か判断し、ＯＦＦしている場合にはステップＳ１に戻る。一方、満水位スイッチ２２がＯＮしている場合には、次に低水位スイッチ２３がＯＦＦしているか否か判断し（ステップＳ８）、ＯＮしている場合にはステップＳ１に戻るが、ＯＦＦしている場合には表示基板３６の点検ランプ５３を点灯させると共に、表示器５５にて排水関係異常の旨の所定のコード表示を行う（ステップＳ９）。
【００５３】
マイクロコンピュータが排水弁ＷＶ１を開放する制御を行ったにも拘わらず、貯水タンク９の満水位スイッチ２２がＯＮしたままで、低水位スイッチ２３もＯＦＦである場合には、排水弁ＷＶ１或いは排水管１３などに故障が発生し、冷却円筒１５からの排水が行われない状況と考えられるが、本発明では係る場合に上述の如く排水関係の異常発生の旨、警報できるので、使用者に係る排水関係の異常発生を迅速に報知し、対処させることが可能となる。また、コントロール基板Ｋのマイクロコンピュータは係る警報を行った後にも、ステップＳ１に戻って引き続き上記製氷運転を継続するので、営業に支障を生じることも無くなる。
【００５４】
尚、前述の如く冷却円筒１５への一定時間当たりの給水量は、冷却円筒１６からの一定時間当たりの排水量よりも多く設定されているので、製氷用水は確保されており、製氷運転に支障は生じない。また、点検修理を行う場合には、運転操作スイッチ３８にてオーガ式製氷機ＩＭを停止させれば良い。
【００５５】
次に、図５のフローチャートを参照しながら、請求項２及び請求項３の発明に係るコントロール基板Ｋのマイクロコンピュータによる満水位異常検出動作を説明する。コントロール基板Ｋのマイクロコンピュータは、製氷工程において前述の一時間が経過すると、先ず、満水位異常が発生しているか否かフラグのセット・クリアにより判断し（ステップＳ１２）、発生していなければ、次に満水位スイッチ２２がＯＮしているか否か判断し（ステップＳ１３）、ＯＮしていれば上述の如く給水弁ＷＶ２を閉じる（ステップＳ１４）。
【００５６】
また、満水位スイッチ２２がＯＦＦしている場合には、今度は低水位スイッチ２３がＯＮしているか否か判断し（ステップＳ２２）、ＯＮしている場合には前述の如く給水弁ＷＶ２を開いて貯水タンク９への給水を行う（ステップＳ２３）。
【００５７】
一方、ステップＳ１４で給水弁ＷＶ２を閉じた後（ＯＦＦ）、コントロール基板Ｋのマイクロコンピュータは前述同様に３０秒タイマをクリアする（ステップＳ１５）。そして、マイクロコンピュータは排水弁ＷＶ１を開き、前述の冷却円筒１５内の製氷用水の廃棄を開始すると共に（ステップＳ１６）、ステップＳ１７で３０秒タイマのカウントを行い、それを繰り返して当該３０秒タイマのカウント開始から３０秒経過するのを待つ。そして、排水開始から３０秒経過すると、マイクロコンピュータは排水弁ＷＶ１を閉じる（ステップＳ１８）。
【００５８】
次に、コントロール基板Ｋのマイクロコンピュータは、係る排水動作が終了した後、満水位スイッチ２２がＯＮしているか否か判断し、ＯＦＦしている場合にはステップＳ１２に戻る。一方、満水位スイッチ２２がＯＮしている場合には、次に低水位スイッチ２３がＯＦＦからＯＮに変化したか否か判断し（ステップＳ２０）、変化していない場合にはステップＳ１２に戻るが、変化している場合には前記満水位異常が発生している旨のフラグをセットし、表示基板３６の点検ランプ５３を点灯させると共に、表示器５５にて満水位スイッチ異常の旨の所定のコード表示を行う（ステップＳ２１）。
【００５９】
マイクロコンピュータが排水弁ＷＶ１を開放したにも拘わらず、貯水タンク９の満水位スイッチ２２がＯＮしたままで、低水位スイッチ２３がＯＦＦからＯＮに変化した場合には、満水位スイッチ２２に故障が発生し、ＯＮしたままとなっている状況と考えられるが、本発明では係る場合に上述の如く満水位スイッチの異常発生の旨、警報できるので、使用者に係る満水位スイッチ２２の異常発生を迅速に報知し、対処させることが可能となる。
【００６０】
また、コントロール基板Ｋのマイクロコンピュータは係る警報を行った後は、ステップＳ１２に戻るが、この時点では満水位異常が発生しているので（フラグセット）、マイクロコンピュータは今度は低水位スイッチ２３がＯＮしたか否か判断する（ステップＳ２４）。そして、低水位スイッチ２３がＯＮしている場合には、給水弁ＷＶ２を開いて貯水タンク９への給水を開始すると共に（ステップＳ２５）、所定時間給水フラグをクリアし（ステップＳ２６）、次にマイクロコンピュータが機能として有する所定給水タイマをカウント（＋１）して（ステップＳ２７）、当該所定給水タイマのカウントが所定給水時間に達したか否か判断する（ステップＳ２８）。
【００６１】
この所定給水時間は、貯水タンク９に給水を行って通常の場合に低水位から満水位に達するまでの時間よりも長い時間（例えば３０秒以下の値）に設定されており、この時間が経過していない場合にはステップＳ１２に戻る。
【００６２】
係る給水の開始により低水位スイッチ２３がＯＦＦした場合でも、マイクロコンピュータはステップＳ２４からステップＳ３２に進み、所定時間給水フラグがセット（Ｈ）か否か判断してステップＳ２７に進むので、給水とカウントは継続される。
【００６３】
そして、前記所定給水時間が経過すると、コントロール基板Ｋのマイクロコンピュータは給水弁ＷＶ２を閉じ（ステップＳ２９）、所定給水タイマをクリアすると共に（ステップＳ３０）、所定時間給水フラグをセットする（ステップＳ３１）。以後はステップＳ２４からステップＳ２５に進み、ステップＳ１２に戻るようになる。そして、製氷運転によって貯水タンク９内の水位が低下し、低水位スイッチ２３が再びＯＮしたら、ステップＳ２４からステップＳ２５に進んで、上述の如き低水位スイッチ２３による給水制御を実行する。
【００６４】
このように、満水位スイッチ異常を警報した場合、コントロール基板Ｋのマイクロコンピュータは低水位スイッチ２３がＯＮした時点から所定時間給水弁ＷＶ２を開放する制御を実行するので、満水位スイッチ２２に故障を来した場合にも、低水位スイッチ２３の検出動作に基づいて応急的に貯水タンク９への給水制御を実行し、氷を確実に製造し続けることが可能となる。従って、営業に支障を生じる不都合を回避することができるようになる。
【００６５】
次に、図６のフローチャートを参照しながら、請求項４及び請求項５の発明に係るコントロール基板Ｋのマイクロコンピュータによる低水位異常検出動作を説明する。コントロール基板Ｋのマイクロコンピュータは、製氷工程において前述の一時間が経過すると、先ず、低水位異常が発生しているか否かフラグのセット・クリアにより判断し（ステップＳ３３）、発生していなければ、次に満水位スイッチ２２がＯＮしているか否か判断し（ステップＳ３４）、ＯＮしていれば上述の如く給水弁ＷＶ２を閉じる（ステップＳ３５）。
【００６６】
また、満水位スイッチ２２がＯＦＦしている場合には、今度は低水位スイッチ２３がＯＮしているか否か判断し（ステップＳ４４）、ＯＮしている場合には前述の如く給水弁ＷＶ２を開いて貯水タンク９への給水を行う（ステップＳ４５）。
【００６７】
一方、ステップＳ３５で給水弁ＷＶ２を閉じた後（ＯＦＦ）、コントロール基板Ｋのマイクロコンピュータは前述同様に３０秒タイマをクリアする（ステップＳ３６）。そして、マイクロコンピュータは排水弁ＷＶ１を開き、前述の冷却円筒１５内の製氷用水の廃棄を開始すると共に（ステップＳ３７）、ステップＳ３８で３０秒タイマのカウントを行い、それを繰り返して当該３０秒タイマのカウント開始から３０秒経過するのを待つ。そして、排水開始から３０秒経過すると、マイクロコンピュータは排水弁ＷＶ１を閉じる（ステップＳ３９）。
【００６８】
次に、コントロール基板Ｋのマイクロコンピュータは、係る排水動作が終了した後、低水位スイッチ２３がＯＦＦしているか否か判断し、ＯＮしている場合にはステップＳ３３に戻る。一方、低水位スイッチ２３がＯＦＦしている場合には、次に満水位スイッチ２２がＯＮからＯＦＦに変化したか否か判断し（ステップＳ４１）、変化していない場合にはステップＳ３３に戻るが、変化している場合には前記低水位異常が発生している旨のフラグをセットし、表示基板３６の点検ランプ５３を点灯させると共に、表示器５５にて低水位スイッチ異常の旨の所定のコード表示を行う（ステップＳ４２）。
【００６９】
マイクロコンピュータが排水弁ＷＶ１を開放したにも拘わらず、貯水タンク９の低水位スイッチ２３がＯＦＦしたままで、満水位スイッチ２２がＯＮからＯＦＦに変化した場合には、低水位スイッチ２３に故障が発生し、ＯＦＦしたままとなっている状況と考えられるが、本発明では係る場合に上述の如く低水位スイッチの異常発生の旨、警報できるので、使用者に係る低水位スイッチ２３の異常発生を迅速に報知し、対処させることが可能となる。
【００７０】
また、コントロール基板Ｋのマイクロコンピュータは係る警報を行った後は、給水弁ＷＶ２を開いて貯水タンク９への給水を開始した後（ステップＳ４３）、ステップＳ３３に戻るが、この時点では低水位異常が発生しているので（フラグセット）、マイクロコンピュータは今度は満水位スイッチ２２がＯＮしたか否か判断する（ステップＳ４６）。そして、満水位スイッチ２２がＯＮした場合には、給水弁ＷＶ２を閉じると共に（ステップＳ４７）、次にマイクロコンピュータが機能として有する所定製氷タイマをクリアして（ステップＳ４８）、ステップＳ３３に戻る。
【００７１】
その後、製氷運転が継続されて貯水タンク９内の水位が低下し、満水位スイッチ２２がＯＮからＯＦＦに変化すると、マイクロコンピュータはステップＳ４６からステップＳ４９に進んで前記所定製氷タイマをカウント（＋１）し、次に当該所定製氷タイマのカウントが所定製氷時間に達したか否か判断する（ステップＳ５０）。
【００７２】
この所定製氷時間は、通常の製氷運転により貯水タンク９内の水位が満水位から低水位に低下するまでの時間よりも短い時間（例えば２分以下の値）に設定されており、この時間が経過していない場合にはステップＳ３３に戻る。尚、この所定製氷時間を凝縮器３の温度に応じて変化（温度が高い場合には長く、温度が低い場合には短くするなど）させれば、貯水タンク９の水位が低水位より低下することを防止しつつ、給水弁ＷＶ２の開閉回数を削減させて耐久性の向上を図ることが可能となる。
【００７３】
そして、前記所定製氷時間が経過すると、コントロール基板Ｋのマイクロコンピュータは給水弁ＷＶ２を開いて貯水タンク９への給水を開始する（ステップＳ５１）。そして、貯水タンク９内の水位が上昇し、満水位スイッチ２２が再びＯＮしたら、ステップＳ４６からステップＳ４７に進んで、給水弁ＷＶ２を閉じると云う満水位スイッチ２２による給水制御を実行する。
【００７４】
このように、低水位スイッチ異常を警報した場合、コントロール基板Ｋのマイクロコンピュータは満水位スイッチ２２の出力が変化した時点から所定時間経過した後に給水弁ＷＶ２を開放する制御を実行するので、低水位スイッチ２３に故障を来した場合にも、満水位スイッチ２２の検出動作に基づいて応急的に貯水タンク９への給水制御を実行し、氷を確実に製造し続けることが可能となる。従って、営業に支障を生じる不都合を回避することができるようになる。
【００７５】
特に、以上の各動作において、コントロール基板Ｋのマイクロコンピュータは表示器５５にて異常の種類をコード表示するので、修理の際に迅速且つ的確な処置を施すことが可能となる。
【００７６】
【発明の効果】
以上詳述した如く請求項１の発明によれば、貯水タンク内の満水位を検出する満水位スイッチと、貯水タンク内の低水位を検出する低水位スイッチと、これらスイッチの検出動作に基づき、低水位にて給水弁を開くと共に、満水位にて給水弁を閉じる制御手段と、警報手段とを設け、制御手段は排水弁を開いたときに、満水位スイッチが満水位を検出しており、且つ、低水位スイッチが低水位を検出しない場合は、警報手段により排水系異常を警報し、運転を継続するように構成したので、排水弁や排水管などの排水系に故障が発生し、冷却円筒内の製氷用水を廃棄できない場合に、警報手段によって係る排水系の異常を警報することが可能となる。
【００７７】
従って、使用者に排水系異常の発生を迅速に報知して対処させることが可能となり、安定した製氷運転を実現できるようになると共に、係る場合にも運転は継続するので、氷は確実に製造することが可能となる。従って、営業に支障を生じる不都合を回避することができるようになり、利便性に富んだ製氷機とすることができるものである。
【図面の簡単な説明】
【図１】本発明のオーガ式製氷機の縦断側面図である。
【図２】本発明のオーガ式製氷機の電気回路図である。
【図３】本発明のオーガ式製氷機の基本動作のタイミングチャートである。
【図４】本発明のオーガ式製氷機のコントロール基板のマイクロコンピュータのプログラムを示すフローチャートである。
【図５】同じく本発明のオーガ式製氷機のコントロール基板のマイクロコンピュータのプログラムを示すフローチャートである。
【図６】同じく本発明のオーガ式製氷機のコントロール基板のマイクロコンピュータのプログラムを示すフローチャートである。
【符号の説明】
ＩＭ  オーガ式製氷機
Ｋ  コントロール基板
ＷＶ１  排水弁
ＷＶ２  給水弁
１  製氷部
２  冷却器
９  貯水タンク
１２  給水管
１３  排水管
１５  冷却円筒
１６  オーガ
２２  満水位スイッチ
２３  低水位スイッチ
【図１】
0003670760.tif 000002
【図２】
0003670760.tif 000003
【図３】
0003670760.tif 000004
【図４】
0003670760.tif 000005
【図５】
0003670760.tif 000006
【図６】
0003670760.tif 000007